(57)【要約】  後頭部ヘッドバンド付きヘッドホンは、少なくとも１個の変換器（３０）と、変換器（３０）を支持する後頭部ヘッドバンド（１０）とを備える。後頭部ヘッドバンド（１０）は、更に、ヘッドホン装着者の側頭骨に接触する第１及び第２接触個所を有する。変換器と第１又は第２接触個所の間の間隔を調整することができる。接触個所に関する上記間隔の調整可能性により、変換器が、ヘッドホン装着者の耳を押圧する位置に達することなく、耳道の上に正確に配置され得る。
2007534201.tif 000002
【特許請求の範囲】
【請求項１】
少なくとも１個の電子音響変換器（３０）と、電子音響変換器（３０）を保持する後頭部ヘッドバンド（１０、１０ａ、１０ｂ）とを備える後頭部ヘッドバンド付きヘッドホンにおいて、
後頭部ヘッドバンド（１０、１０ａ、１０ｂ）が、ヘッドホン装着者の側頭骨に接触する少なくとも第１及び第２接触個所（１０ｉ）を有する一方、電子音響変換器（３０）と第１又は第２接触個所（１０ｉ）の間の間隔が調整自在である後頭部ヘッドバンド付きヘッドホン。
【請求項２】
電子音響変換器（３０）が、後頭部ヘッドバンド（１０ｂ）の回りを揺動自在に設けられた請求項１に記載の後頭部ヘッドバンド付きヘッドホン。
【請求項３】
後頭部ヘッドバンドが、第１部分（１０）と少なくとも１個の第２部分（１０ｂ）を有し、又、第１部分（１０）と第２部分（１０ｂ）が、角部（１０ａ）で交差すると共に、所定角度が第１部分（１０）と第２部分（１０ｂ）の間に形成され、更に、電子音響変換器（３０）が、後頭部ヘッドバンドの第２部分（１０ｂ）に配置された請求項１又は２に記載の後頭部ヘッドバンド付きヘッドホン。
【請求項４】
電子音響変換器（３０）が、後頭部ヘッドバンドの第２部分（１０ｂ）の長手軸心に沿って移動自在である請求項３に記載の後頭部ヘッドバンド付きヘッドホン。
【請求項５】
後頭部ヘッドバンドの少なくとも１個の第２部分（１０ｂ）が内方に傾斜するように形成された請求項３又は４に記載の後頭部ヘッドバンド付きヘッドホン。
【請求項６】
後頭部ヘッドバンドの第２部分（１０ｂ）が凸状に曲げられている請求項３乃至５のいずれかに記載の後頭部ヘッドバンド付きヘッドホン。
【請求項７】
電子音響変換器（３０）が自動ロック式拘束作用を有する請求項１乃至６のいずれかに記載の後頭部ヘッドバンド付きヘッドホン。
【請求項８】
後頭部ヘッドバンドが一体物に形成された請求項１乃至７のいずれかに記載の後頭部ヘッドバンド付きヘッドホン。
【請求項９】
第２部分（１０ｂ）が第１部分（１０）より軟質である請求項１乃至８のいずれかに記載の後頭部ヘッドバンド付きヘッドホン。
【請求項１０】
後頭部ヘッドバンドが、変動する断面を有する請求項１乃至９のいずれかに記載の後頭部ヘッドバンド付きヘッドホン。
【発明の詳細な説明】
【技術分野】
【０００１】
本発明は、後頭部ヘッドバンド付きヘッドホンに関する。後頭部ヘッドバンド付きヘッドホンは、ヘッドホンバンドが頭の上に装着されずに、後頭部に装着されるヘッドホンを表す。
【背景技術】
【０００２】
このような従来のヘッドホンは独国特許出願公開第１９８１０５８２号明細書に開示される。図５に概略的に示すように、変換器３００が、耳の上の所定位置に掛けられて、バンド１００又は耳後型フックが耳の付け根に載置される。この構成において、首筋バンド１００は、当接している場合に頭の移動と干渉するため、首筋領域で突出している。更に、バンド１００又は耳後型フックが耳の付け根に直接載置される事実は、特に高温時にそこに発汗個所と押圧個所が直ぐに形成される点で不都合であるので、装着感が損なわれる。その上、眼鏡も一般に耳の付け根に載置されるから、眼鏡とこの種のヘッドホンを同時に装着することが不可能であるから、この構成は特に眼鏡着用者にとって不都合である。この構成では、ヘッドホン装着者の耳に対する変換器の適切な押圧力が得られないので、劣悪な音響しか得られない。殆どの後頭部ヘッドバンド付きヘッドホンは、剛直なバンド・変換器ユニットを有するので、ヘッドホンの音響は各頭により相違するから、ヘッドホンの確実なフィットとそれによる最適な音響は、適合した頭と耳を有する極めて僅かの人々でしか得られない。
【０００３】
コス（Koss）社は、従来のヘッドホンと後頭部ヘッドバンド付きヘッドホンの両方として使用できるヘッドホン「スポータプロ（SportaPro）」を市販している。そのヘッドホンは、２個の変換器に対して離隔させた２個の接触点を設けた後頭部ヘッドバンドを有する。そのヘッドホンを後頭部ヘッドバンド付きヘッドホンとして使用する場合、その２個の接触点が、耳の上方の側頭筋に当接する。その場合、ヘッドホン装着者の頭への適当な適合が可能となるように、後頭部ヘッドバンドの長さが調節自在であるが、変換器に対する最適な接触圧が保証されない。
【発明の開示】
【発明が解決しようとする課題】
【０００４】
従って、本発明の目的は、頭と耳の異なる形状に適合できると共に、装着者の耳に対する変換器の最小の接触圧を保証する後頭部ヘッドバンド付きヘッドホンを提供することである。
【課題を解決するための手段】
【０００５】
本発明の目的は、請求項１に記載の後頭部ヘッドバンド付きヘッドホンによって達成される。
そのため、後頭部ヘッドバンド付きヘッドホンは、少なくとも１個の変換器と、変換器３０を受承する後頭部ヘッドバンド１０とを備える。後頭部ヘッドバンド１０は、更に、ヘッドホン装着者の側頭骨に接触する少なくとも第１及び第２接触個所を有する。変換器と第１又は第２接触個所の間の間隔が調整自在である。
【０００６】
接触個所に関する間隔の調整可能性により、耳の上に圧力点を生じないで、変換器をヘッドホン装着者の耳道の上に正確に配置することができる。
【０００７】
本発明の一態様によれば、変換器が、後頭部ヘッドバンドの回りを揺動自在に設けられて、変換器とヘッドホン装着者の側頭の間に適当な角度を設定することができるので、変換器をヘッドホン装着者の耳の異なる形状に適合させることができる。これは、接触圧の改善、よって、ヘッドホンの音響の改善に大いに寄与する。
【０００８】
本発明の別の態様によれば、後頭部ヘッドバンド１０が、第１部分１０と少なくとも１個の第２部分１０ｂを有する。第１部分１０と第２部分１０ｂが、角部１０ａで交差して、所定角度が第１部分１０と第２部分１０ｂの間に形成される。変換器が、後頭部ヘッドバンドの第２部分に配置される。
【０００９】
本発明の好ましい態様によれば、変換器３０が、後頭部ヘッドバンドの第２部分の長手軸心に沿って移動自在である。これにより、接触圧の適合と同時にヘッドホン装着者の後頭部に対するヘッドバンドの長さの適合がなされ得る。変換器３０がヘッドホン装着者の耳の上に配置されるので、ヘッドホン装着者の頭に対して移動させられるのは、変換器ではなくて後頭部ヘッドバンドである。
【００１０】
本発明の別の好ましい態様によれば、第２部分が内方に傾斜するように形成されている。後頭部ヘッドバンド付きヘッドホンがヘッドホン装着者の頭の対応する形状に適合させられる時、変換器はヘッドホン装着者の耳道の上に固定保持されると共に、第１又は第２接触個所と変換器の間の間隔が変化させられる。これは、接触個所と変換器の間の間隔の増加に応じて、接触個所がヘッドホン装着者の頭に押圧されることによりなされる。この結果、接触圧を、装着者の側頭においても変換器と装着者の耳の間においても得ることができると共に、互いに合致させることができる。
【００１１】
本発明の別の態様によれば、第２部分が凸状に曲げられている。第２部分の凸形状により、第２部分の長手軸心に沿って移動自在である変換器が、ヘッドホン装着者の耳に対する角度位置と同時に頭部角度に対して適合させられる。
【００１２】
本発明の別の態様によれば、変換器は、自動ロック式拘束作用を有する。それにより、変換器の位置が接触個所に対して偶発的に移動させられることが防止される。
【００１３】
本発明の別の態様は、従属請求項の主題である。
【発明を実施するための最良の形態】
【００１４】
図１は、ヘッドホン装着者１と本発明にかかる後頭部ヘッドバンド付きヘッドホンの側面図である。図１は、特に、ヘッドホン装着者の頭１、耳２と後頭部３を示す。本発明のヘッドホンは、後頭部ヘッドバンド１０と、後頭部ヘッドバンド１０に固定された変換器３０とを備える。後頭部ヘッドバンドは、大略、角部を示す個所１０ａにおいて交わる第１部分１０と第２部分１０ｂを備える。言い換えると、後頭部ヘッドバンドは、ヘッドホン装着者の後頭部の回りを大略馬蹄形に延在する第１部分を有する。この時、第２部分１０ｂは、第１部分に対して所定角度を成す、即ち、第２部分１０ｂは、角部１０ａの回りで曲げられている。変換器３０は、後頭部ヘッドバンドの第２部分１０ｂに設けられて、ヘッドホン装着者の耳２の上に配置することができる。
【００１５】
破線で表される接触領域１０ｉは、後頭部ヘッドバンドがヘッドホン装着者の側頭又は側頭骨に当接する領域を示す。側頭骨に言及すれば、接触領域１０ｉは、側頭骨とその上方に位置する側頭筋の両方の領域を指す。
【００１６】
図２Ａは、図１の後頭部ヘッドバンド付きヘッドホンの平面図である。後頭部ヘッドバンドの第１部分１０は大略馬蹄形であるので、ヘッドホンが装着される時、プレストレスが、接触領域１０ｉにおいてヘッドホン装着者の側頭に印加される。その結果、そこに望ましい接触圧が生じるので、ヘッドホンが所定位置に堅固に保持されることが保証される。変換器３０は、第２部分１０ｂの長手方向１０ｄに沿って移動させることができるように、第２部分１０ｂの領域に配置されている。更に、変換器３０は、第２部分１０ｂの長手軸心の回りに回転自在又は揺動自在に設けられている。変換器３０が、第２部分１０ｂの長手方向１０ｄに沿って移動自在であると共に長手方向に対して回転自在であることから、変換器３０の調節性とヘッドホン装着者の頭と耳の異なる形状に対するヘッドホンの適合性についての自由度が改善される。
【００１７】
図２Ｂは、図１のヘッドホンの持ち運び又は収納位置を示す。図２Ａに示すヘッドホンに加えて、図２Ｂに示すヘッドホンは、折り畳むことができるように２個のヒンジ１１を有する。変換器３０が、第２部分１０ｂに回転自在又は揺動自在に設けられてると共に、ヒンジ１１を有することにより、ヘッドホンは、僅かの空間しか占めないように折り畳むことができる。このようにして、ヘッドホンは、保管のために、例えば、眼鏡ケースに類似した保管箱に収納することができる。折り畳み状態の小さい詰め込み寸法は、持ち運び及び保管に対して好都合である。
【００１８】
図３Ａは、本発明のヘッドホンとそのヘッドホンの装着者の別の側面図である。ここで、後頭部ヘッドバンドの第２部分１０ｂは少し凸状の形態を有する。第２部分１０ｂの長手軸心に沿う変換器３０の移動は、変換器３０の回転軸心ａとｂの変化をもたらす。変化する回転軸心ａとｂにより、ヘッドホン装着者の耳の夫々の形状に対するヘッドホンの適合性が改善される。第２部分１０ｂの特定の形態により、水平及び垂直方向で耳角度に適合させることができる。角部１０ａの形態により、変換器３０の傾斜角度を変化させることができる。この傾斜角度は、図６に示す側頭部角度と図７に示す耳角度を加算することから大略得られる。
【００１９】
図３Ｂは、本発明のヘッドホンの装着者の平面図である。ここで、ヘッドバンドの第２部分１０ｂは、図３Ｂの紙面の平面に対して凸状の形態を有する。従って、圧力角度ａ及びｂは、第２部分１０ｂの長手軸心に沿う変換器３０の移動と、第２部分のためのより弾性的な材料断面又は材料とによって変動させることができる。この時、圧力角度は、変換器とヘッドホン装着者の頭の間の角度を意味する。圧力角度を変動させることによって、ヘッドホン装着者の耳の形状に対する本発明のヘッドホンの適合性を更に改善することができる。ヘッドホン装着者の耳２に対する変換器３０の接触圧Ｆは、ヘッドバンド１０の第１部分の馬蹄形とそれに伴う屈曲作用に基づくヘッドバンド１０の第１部分のばね圧又はそのプレストレスによって得られる。曲げ及びねじりによる変換器３０の調節も、更に、接触圧Ｆに寄与する。更に、第１部分１０又は頭部側部品の形状を変えないで、第２部分１０ｂのばね弾性により異なる耳角度を得ることができる。変換器３０の調整は、頭部側部品を頭に移動させると共に、頭と耳の間の圧力を調整することに第１に役立つ。
【００２０】
図４Ａは、本発明のヘッドホンの装着者の別の平面図である。ここでは、図１のヘッドホンの２個の設定位置がより詳しく示されている。本発明のヘッドホンの第１位置では、ヘッドホンが最初に大まかに載置され、２個の変換器がヘッドホン装着者の２個の耳２の上に配置される。この時、後頭部ヘッドバンドの第１部分はヘッドホン装着者の後頭部３から若干の間隔をあけている。この位置において、ヘッドホンの２個の接触個所１０ｈは、一般に、ヘッドホン装着者の耳の付け根の少し上方に位置する。ここで、ヘッドホンは、ヘッドホン装着者の頭と耳の特定の形状に適合させられる。その目的のために、変換器は装着者の耳２の上に適当に配置され、ヘッドバンドの第２部分が変換器３０に対して移動させられる。２個の変換器が既に適当な位置、即ち、ヘッドホン装着者の耳道の上に配置されているので、変換器でなしにヘッドバンドの第１部分１０及び第２部分１０ｂが移動させられる。第２部分１０ｂの移動により、ヘッドバンド又は接触個所１０ｈが、頭を押圧することにより、ヘッドホン装着者の側頭に対する接触圧を生成する。変換器３０がより軽く第２部分に拘束されると共により軟質の第２部分を設けることにより、耳に対する圧力と頭に対する圧力が分割され、即ち、後頭部ヘッドバンドの移動が、頭に対する接触圧を増加させると共に耳に対する接触圧を減少させる。ヘッドホン装着者の頭又は側頭に側方に作用する押圧力はＦｋとして表される。第１部分１０も第２部分１０ｂの移動により移動させられる結果、装着者の後頭部に対する押圧力ＦＨＫが生じる。
【００２１】
図４Ｂは、図４Ａの平面図に対応する側面図である。図４ａのように、図４ｂも、本発明のヘッドホンの２個の調整状態を示す。第１調整位置において、接触個所は１０ｈで表される一方、第２位置において、接触個所は１０ｉで表される。図４Ｂの矢印で示すように、接触個所１０ｉも移動させられるように第２部分が変換器に対して移動させられる結果、ヘッドバンドの第１部分も後頭部上を移動させられる。第１位置のヘッドバンドの第１部分が頭にゆるく配置されている場合、第１部分は、ヘッドホン装着者の後頭部３に対して押圧力ＦＨＫで押圧される。
【００２２】
変換器３０は、自動ロック式拘束作用によって第２部分１０ｂに接続される。その拘束作用は、過負荷の場合は変換器が確実にたわむように、例えば、傾斜、摩擦係合及び／又はラッチ手段により生じる。後頭部ヘッドバンドの第１部分と第２部分は、各種の断面を有すると共に、ばね鋼及び／又はプラスチック材料から成ることができる。ヘッドバンド又はヘッドバンドの第１部分と第２部分は、一体物であることが好ましい。従って、ヘッドバンドは、所望の形状に曲げたり射出成形することができると共に、単に小重量を有する。よって、ヘッドホンの適合性の更なる改良は、より軟質の第２部分１０ｂを設けること、即ち、第２部分が第１部分より軟質であることにより達成される。それは、例えば、第２部分を第１部分よりも薄くなるように断面を変化させることにより達成される。
【００２３】
変換器３０に対する各種の調整可能性は、ヘッドホンをヘッドホン装着者の頭と耳の各形状に最適に適合させることができることを意味する。更に、ヘッドホン装着者の耳に対する変換器の最適接触圧が得られることにより、変換器の音響が大幅に改良される。これは、特に低音再生において非常に好都合である。
【００２４】
ヘッドホン装着者の後頭部にヘッドバンドが直接当接することにより、ヘッドホンの当接は、頭の移動による首筋の肉の隆起の形成によって悪影響を受けない。側頭骨又は側頭筋におけるヘッドバンドの押圧点又は接触個所１０ｉは耳の上方にあるので、本発明のヘッドホンは、装着感を損なうことなく、特に眼鏡と組合せて装着することができる。曲げた第２部分又はばねアーム、即ち、変換器アームを設けることは、左右のばねアームの点１０ａにおいて２個のアームに対する互いのモーメントを補償することにより、頭の大きさが異なる時でも一定の接触圧が確保される。アーム又は第２部分の締め付けは、適合させた圧力角度により圧力点の移動を防止する。第２部分の傾斜した長手軸心の回りに揺動自在又は回転自在に支持された変換器３０は、耳における組合された水平及び垂直な角度補償を行う。揺動軸心の方向における傾斜効果を防止するために、変換器のヘッドバンドとの接続部に弾性材料を設けることができる。更に、摺動防止効果を有する継手を設けることができる。
【００２５】
本発明の後頭部ヘッドバンド付きヘッドホンの上記の調整可能性は、ヘッドホンを、それを装着する個人の感覚、即ち、頭に対する圧力と接触圧に従って調整することができることを意味する。更に、ヘッドホンの音響特性は、接触圧の調整によって影響され得る。もし後頭部ヘッドバンドがばね鋼ヘッドバンドで実施されると、眼鏡の原理に基づいて、非常に軽いヘッドホンを実現することができる。更に、後頭部ヘッドバンドによるヘッドホンの実施は、ヘッドホン装着者の頭への確実で堅固な装着を保証するので、この種のヘッドホンは、特に、例えば、スポーツ活動や旅行時のように移動の大きな自由が望ましい使用分野に適している。
【００２６】
図６は、一般に１０°である側頭部角度を示す図である。図７は、一般に１５°である耳角度を示す図である。
【００２７】
別の実施の形態によれば、変換器用電気信号をヘッドバンドを介して伝送できるように、ヘッドバンドを２本線ばね鋼で形成することができる。その変形例として、ケーブルをヘッドバンド内に通して、ケーブルが外側から大略見えないようにすることができる。
【図面の簡単な説明】
【００２８】
【図１】後頭部ヘッドバンド付きヘッドホンとそのヘッドホンの装着者の側面図である。
【図２Ａ】本発明にかかる後頭部ヘッドバンド付きヘッドホンの平面図である。
【図２Ｂ】使用位置及び持ち運び位置にある、本発明のヘッドホンの平面図である。
【図３Ａ】本発明にかかるヘッドホンとそのヘッドホンの装着者の別の側面図である。
【図３Ｂ】本発明にかかるヘッドホンとそのヘッドホンの装着者の平面図である。
【図４Ａ】本発明にかかるヘッドホンとそのヘッドホンの装着者の別の平面図である。
【図４Ｂ】本発明にかかるヘッドホンとそのヘッドホンの装着者の別の側面図である。
【図５】従来のヘッドホンとそのヘッドホンの装着者の側面図である。
【図６】側頭部角度を示す図である。
【図７】耳角度を示す図である。
【符号の説明】
【００２９】
１  頭
２  耳
３  後頭部
１０  後頭部ヘッドバンド
１０ａ  角部
１０ｂ  第２部分
３０  変換器
【図１】
2007534201.tif 000003
【図２Ａ】
2007534201.tif 000004
【図２Ｂ】
2007534201.tif 000005
【図３Ａ】
2007534201.tif 000006
【図３Ｂ】
2007534201.tif 000007
【図４Ａ】
2007534201.tif 000008
【図４Ｂ】
2007534201.tif 000009
【図５】
2007534201.tif 000010
【図６】
2007534201.tif 000011
【図７】
2007534201.tif 000012
【手続補正書】
【提出日】平成18年3月22日(2006.3.22)
【手続補正１】
【補正対象書類名】特許請求の範囲
【補正対象項目名】全文
【補正方法】変更
【補正の内容】
【特許請求の範囲】
【請求項１】
少なくとも１個の電子音響変換器（３０）と、電子音響変換器（３０）を保持する後頭部ヘッドバンド（１０、１０ａ、１０ｂ）とを備える後頭部ヘッドバンド付きヘッドホンにおいて、
後頭部ヘッドバンド（１０、１０ａ、１０ｂ）が、ヘッドホン装着者の側頭骨に接触する少なくとも第１及び第２接触個所（１０ｉ）を有する一方、電子音響変換器（３０）と第１又は第２接触個所（１０ｉ）の間の間隔が調整自在であり、又、後頭部ヘッドバンドが、第１部分（１０）と少なくとも１個の第２部分（１０ｂ）を有して、第１部分（１０）と第２部分（１０ｂ）が、角部（１０ａ）で交差すると共に、所定角度が第１部分（１０）と第２部分（１０ｂ）の間に形成され、更に、電子音響変換器（３０）が、後頭部ヘッドバンドの第２部分（１０ｂ）に配置され、且つ、電子音響変換器（３０）と第１又は第２接触個所（１０ｉ）の間の間隔並びに後頭部ヘッドバンドと後頭部ヘッドバンド装着者の頭の間の間隔が調整されるように、電子音響変換器（３０）が、後頭部ヘッドバンドの第２部分（１０ｂ）の長手軸心に沿って移動自在である後頭部ヘッドバンド付きヘッドホン。
【請求項２】
電子音響変換器（３０）が、後頭部ヘッドバンド（１０ｂ）の回りを揺動自在に設けられた請求項１に記載の後頭部ヘッドバンド付きヘッドホン。
【請求項３】
後頭部ヘッドバンドの少なくとも１個の第２部分（１０ｂ）が内方に傾斜するように形成された請求項１又は２に記載の後頭部ヘッドバンド付きヘッドホン。
【請求項４】
後頭部ヘッドバンドの第２部分（１０ｂ）が凸状に曲げられている請求項１乃至３のいずれかに記載の後頭部ヘッドバンド付きヘッドホン。
【請求項５】
電子音響変換器（３０）が自動ロック式拘束作用を有する請求項１乃至４のいずれかに記載の後頭部ヘッドバンド付きヘッドホン。
【請求項６】
後頭部ヘッドバンドが一体物に形成された請求項１乃至５のいずれかに記載の後頭部ヘッドバンド付きヘッドホン。
【請求項７】
第２部分（１０ｂ）が第１部分（１０）より軟質である請求項１乃至６のいずれかに記載の後頭部ヘッドバンド付きヘッドホン。
【請求項８】
後頭部ヘッドバンドが、変動する断面を有する請求項１乃至７のいずれかに記載の後頭部ヘッドバンド付きヘッドホン。
【国際調査報告】
2007534201.tif 000013
2007534201.tif 000014
2007534201.tif 000015
2007534201.tif 000016
2007534201.tif 000017
2007534201.tif 000018